(57)【要約】      （修正有）【課題】外科手術手順において使用するためのアクセス装置を提供すること。【解決手段】アクセス部材１０であって、長手方向軸を規定し、患者の腹腔への入口を提供する長手軸方向通路を有し、長手軸方向通路は、外科手術手順の際に利用される外科手術用器具の通過を可能にするように適合される、アクセス部材；開口部を規定する近位端を備えるハウジング２であって、開口部は、アクセス部材の長手軸方向通路と連絡して、外科手術用器具の通過を可能にする、ハウジング；ハウジング内で、長手軸方向通路に隣接して配置されるゼロ閉鎖弁２０であって、ゼロ閉鎖弁を通して挿入された外科手術用器具が存在しない場合には、実質的に流体密なシールを提供するように構成され、ゼロ閉鎖弁に作動可能に関連する逆止弁２２を備え、逆止弁は、長手軸方向通路、およびアクセス部材に作動可能に関連する通気ポート１８と流体連絡する、ゼロ閉鎖弁を備えているアクセス装置。【選択図】図１
2011167519.tif 000002
【特許請求の範囲】
【請求項１】
アクセス部材であって、該アクセス部材は、長手方向軸を規定し、そして患者の腹腔への入口を提供する長手軸方向通路を有し、該長手軸方向通路は、外科手術手順を実施する際に利用される外科手術用器具の通過を可能にするように適合されている、アクセス部材；
開口部を規定する近位端を備えるハウジングであって、該開口部は、該アクセス部材の該長手軸方向通路と連絡して、該外科手術用器具の通過を可能にする、ハウジング；ならびに
該ハウジング内で、該長手軸方向通路に隣接して配置されるゼロ閉鎖弁であって、該ゼロ閉鎖弁は、該ゼロ閉鎖弁を通して挿入された外科手術用器具が存在しない場合には、実質的に流体密なシールを提供するように構成されており、該ゼロ閉鎖弁は、該ゼロ閉鎖弁に作動可能に関連する逆止弁を備え、該逆止弁は、該長手軸方向通路、および該アクセス部材に作動可能に関連する通気ポートと流体連絡する、ゼロ閉鎖弁、
を備え、
該逆止弁は、該アクセス装置の内側の圧力が該アクセス装置の外側の圧力より高い場合に流体密なシールを提供するように構成されている、外科手術手順において使用するためのアクセス装置。
【請求項２】
前記逆止弁が前記ゼロ閉鎖弁と一体的に形成されている、請求項１に記載のアクセス装置。
【請求項３】
前記逆止弁がフラッパ部分を備える、請求項２に記載のアクセス装置。
【請求項４】
前記フラッパ部分が前記ゼロ閉鎖弁に対して蝶番式に取り付けられている、請求項３に記載のアクセス装置。
【請求項５】
前記フラッパ部分が、一体蝶番構成を介して前記ゼロ閉鎖弁に蝶番式に取り付けられている、請求項４に記載のアクセス装置。
【請求項６】
移動止めが、前記フラッパ部分に作動可能に配置され、そして前記逆止弁を通る流体が存在しない場合に前記流体密なシールの増加した流体密一体性を提供するように構成されている、請求項５に記載のアクセス装置。
【請求項７】
ばねが、前記逆止弁に作動可能に関連しており、そして該逆止弁を通る流体が存在しない場合に、かつ前記腹腔および前記アクセス装置のうちの一方の内側の圧力が、該腹腔および該アクセス装置のうちの該一方の外側の圧力より高い場合に、前記フラッパ部分と前記通気ポートとの間に流体密なシールを維持することを補助するように構成されている、請求項１に記載のアクセス装置。
【請求項８】
前記ばねが、ねじりばね、板ばねおよびコイルばねからなる群より選択される型のばねである、請求項７に記載のアクセス装置。
【請求項９】
前記ゼロ閉鎖弁および前記逆止弁の少なくとも一部分が、エラストマー材料から作製されている、請求項１に記載のアクセス装置。
【請求項１０】
前記アクセス装置が器具シールを備える、請求項１に記載のアクセス装置。
【請求項１１】
患者の腹腔内へのアクセスを提供するように構成されたアクセス装置に接続されるように適合されたゼロ閉鎖弁であって、該ゼロ閉鎖弁は、
該ゼロ閉鎖弁と一体的に形成された逆止弁であって、該逆止弁は、長手軸方向通路およびアクセス部材に作動可能に関連する通気ポートと流体連絡しており、該逆止弁は、該アクセス装置の内側の圧力が該アクセス装置の外側の圧力より高い場合に、流体密なシールを提供するように構成されている、逆止弁、
を備える、ゼロ閉鎖弁。
【請求項１２】
前記逆止弁がフラッパ部分を備える、請求項１１に記載のゼロ閉鎖弁。
【請求項１３】
前記フラッパ部分が前記ゼロ閉鎖弁に対して蝶番式に取り付けられている、請求項１２に記載のゼロ閉鎖弁。
【請求項１４】
前記フラッパ部分が、一体蝶番構成を介して前記ゼロ閉鎖弁に蝶番式に取り付けられている、請求項１３に記載のゼロ閉鎖弁。
【請求項１５】
移動止めが、前記フラッパ部分に作動可能に配置され、そして前記逆止弁を通る流体が存在しない場合に前記流体密なシールの増加した流体密一体性を提供するように構成されている、請求項１４に記載のゼロ閉鎖弁。
【請求項１６】
ばねが、前記逆止弁に作動可能に関連しており、そして該逆止弁を通る流体が存在しない場合に、かつ前記腹腔および前記アクセス装置のうちの一方の内側の圧力が、該腹腔および該アクセス装置のうちの該一方の外側の圧力より高い場合に、前記フラッパ部分と前記通気ポートとの間に流体密なシールを維持することを補助するように構成されている、請求項１１に記載のゼロ閉鎖弁。
【請求項１７】
前記ばねが、ねじりばね、板ばねおよびコイルばねからなる群より選択される型のばねである、請求項１６に記載のゼロ閉鎖弁。
【請求項１８】
前記ゼロ閉鎖弁および前記逆止弁の少なくとも一部分が、エラストマー材料から作製されている、請求項１１に記載のゼロ閉鎖弁。
【請求項１９】
前記アクセス装置が器具シールを備える、請求項１１に記載のゼロ閉鎖弁。
【発明の詳細な説明】
【技術分野】
【０００１】
（関連出願の引用）
本願は、２０１０年２月１８日に出願された米国仮出願番号６１／３０５，６３５の利益および優先権を主張する。この米国仮出願の全内容は、本明細書中に参考として援用される。
【０００２】
（技術分野）
本開示は、アクセス装置に関し、そしてより特定すると、一体的なゼロ閉鎖弁（ｚｅｒｏ−ｃｌｏｓｕｒｅ  ｖａｌｖｅ）および通気ポート用逆止弁を備えるアクセス装置に関する。
【背景技術】
【０００３】
腹腔鏡手順において、臨床医は、小さい切開を通して腹の内側で外科手術を実施し、そして内視鏡手順において、臨床医は、皮膚の小さい入口切開を通して挿入された狭い管またはカニューレを通して、身体の任意の中空内臓において外科手術を行う。特定の例において、１つ以上の通気ポートが、この狭い管またはカニューレに作動可能に関連し、そしてこの狭い管またはカニューレがこの切開に挿入されて患者に固定された後に、加圧された気体（例えば、ＣＯ２）を腹の中に提供し、これによって、気腹を作製するように構成される。この気体は、正圧を提供し、この正圧は、身体の内壁を内部器官から離すように持ち上げ、これによって、外科医に手術空間を提供する。この手術空間を作製することによって、臨床医は、カニューレアセンブリを通して挿入された器具で器官を不必要に接触することを回避する。
【０００４】
代表的に、１つ以上の通気ポートは、気腹を維持して通気ガスの流れを制御するように構成された、１つ以上の構成要素（例えば、複雑な手動弁、キャップ、止め栓、外部管など）を備える。理解され得るように、上記構成要素（例えば、複雑な弁）は、通気ポートおよび／またはアクセス装置の製造費用を増加させる。
【発明の概要】
【発明が解決しようとする課題】
【０００５】
従って、気腹を維持して通気ガスの流れを制御するように構成された、製造が容易な構成要素を備えるアクセス装置を提供することは、利点を提供し得る。
【課題を解決するための手段】
【０００６】
上記課題を解決するために、本発明は、例えば、以下を提供する：
（項目１）
アクセス部材であって、該アクセス部材は、長手方向軸を規定し、そして患者の腹腔への入口を提供する長手軸方向通路を有し、該長手軸方向通路は、外科手術手順を実施する際に利用される外科手術用器具の通過を可能にするように適合されている、アクセス部材；
開口部を規定する近位端を備えるハウジングであって、該開口部は、該アクセス部材の該長手軸方向通路と連絡して、該外科手術用器具の通過を可能にする、ハウジング；ならびに
該ハウジング内で、該長手軸方向通路に隣接して配置されるゼロ閉鎖弁であって、該ゼロ閉鎖弁は、該ゼロ閉鎖弁を通して挿入された外科手術用器具が存在しない場合には、実質的に流体密なシールを提供するように構成されており、該ゼロ閉鎖弁は、該ゼロ閉鎖弁に作動可能に関連する逆止弁を備え、該逆止弁は、該長手軸方向通路、および該アクセス部材に作動可能に関連する通気ポートと流体連絡する、ゼロ閉鎖弁、
を備え、
該逆止弁は、該アクセス装置の内側の圧力が該アクセス装置の外側の圧力より高い場合に流体密なシールを提供するように構成されている、外科手術手順において使用するためのアクセス装置。
（項目２）
上記逆止弁が上記ゼロ閉鎖弁と一体的に形成されている、上記項目に記載のアクセス装置。
（項目３）
上記逆止弁がフラッパ部分を備える、上記項目のいずれかに記載のアクセス装置。
（項目４）
上記フラッパ部分が上記ゼロ閉鎖弁に対して蝶番式に取り付けられている、上記項目のいずれかに記載のアクセス装置。
（項目５）
上記フラッパ部分が、一体蝶番構成を介して上記ゼロ閉鎖弁に蝶番式に取り付けられている、上記項目のいずれかに記載のアクセス装置。
（項目６）
移動止めが、上記フラッパ部分に作動可能に配置され、そして上記逆止弁を通る流体が存在しない場合に上記流体密なシールの増加した流体密一体性を提供するように構成されている、上記項目のいずれかに記載のアクセス装置。
（項目７）
ばねが、上記逆止弁に作動可能に関連しており、そして該逆止弁を通る流体が存在しない場合に、かつ上記腹腔および上記アクセス装置のうちの一方の内側の圧力が、該腹腔および該アクセス装置のうちの該一方の外側の圧力より高い場合に、上記フラッパ部分と上記通気ポートとの間に流体密なシールを維持することを補助するように構成されている、上記項目のいずれかに記載のアクセス装置。
（項目８）
上記ばねが、ねじりばね、板ばねおよびコイルばねからなる群より選択される型のばねである、上記項目のいずれかに記載のアクセス装置。
（項目９）
上記ゼロ閉鎖弁および上記逆止弁の少なくとも一部分が、エラストマー材料から作製されている、上記項目のいずれかに記載のアクセス装置。
（項目１０）
上記アクセス装置が器具シールを備える、上記項目のいずれかに記載のアクセス装置。
（項目１１）
患者の腹腔内へのアクセスを提供するように構成されたアクセス装置に接続されるように適合されたゼロ閉鎖弁であって、該ゼロ閉鎖弁は、
該ゼロ閉鎖弁と一体的に形成された逆止弁であって、該逆止弁は、長手軸方向通路およびアクセス部材に作動可能に関連する通気ポートと流体連絡しており、該逆止弁は、該アクセス装置の内側の圧力が該アクセス装置の外側の圧力より高い場合に、流体密なシールを提供するように構成されている、逆止弁、
を備える、ゼロ閉鎖弁。
（項目１２）
上記逆止弁がフラッパ部分を備える、上記項目のいずれかに記載のゼロ閉鎖弁。
（項目１３）
上記フラッパ部分が上記ゼロ閉鎖弁に対して蝶番式に取り付けられている、上記項目のいずれかに記載のゼロ閉鎖弁。
（項目１４）
上記フラッパ部分が、一体蝶番構成を介して上記ゼロ閉鎖弁に蝶番式に取り付けられている、上記項目のいずれかに記載のゼロ閉鎖弁。
（項目１５）
移動止めが、上記フラッパ部分に作動可能に配置され、そして上記逆止弁を通る流体が存在しない場合に上記流体密なシールの増加した流体密一体性を提供するように構成されている、上記項目のいずれかに記載のゼロ閉鎖弁。
（項目１６）
ばねが、上記逆止弁に作動可能に関連しており、そして該逆止弁を通る流体が存在しない場合に、かつ上記腹腔および上記アクセス装置のうちの一方の内側の圧力が、該腹腔および該アクセス装置のうちの該一方の外側の圧力より高い場合に、上記フラッパ部分と上記通気ポートとの間に流体密なシールを維持することを補助するように構成されている、上記項目のいずれかに記載のゼロ閉鎖弁。
（項目１７）
上記ばねが、ねじりばね、板ばねおよびコイルばねからなる群より選択される型のばねである、上記項目のいずれかに記載のゼロ閉鎖弁。
（項目１８）
上記ゼロ閉鎖弁および上記逆止弁の少なくとも一部分が、エラストマー材料から作製されている、上記項目のいずれかに記載のゼロ閉鎖弁。
（項目１９）
上記アクセス装置が器具シールを備える、上記項目のいずれかに記載のゼロ閉鎖弁。
【０００７】
（摘要）
外科手術手順において使用するためのアクセス装置が提供される。このアクセス装置は、ゼロ閉鎖弁を備え、このゼロ閉鎖弁は、このアクセス装置と関連するハウジング内で、このアクセス装置と作動可能に関連するアクセス部材によって規定される長手軸方向通路に隣接して配置される。このゼロ閉鎖弁は、このゼロ閉鎖弁を通して挿入される外科手術用器具が存在しない場合、実質的に流体密なシールを提供する。逆止弁が、このゼロ閉鎖弁と作動可能に関連し、そしてこの長手軸方向通路と流体連絡し、そして通気ポートが、このアクセス部材と作動可能に関連する。この逆止弁は、このアクセス装置の内側の圧力がこのアクセス装置の外側の圧力より高い場合に、流体密なシールを提供するように構成される。
【０００８】
（要旨）
本開示は、外科手術手順において使用するためのアクセス装置を提供する。このアクセス装置は、アクセス部材を備え、このアクセス部材は、長手方向軸を規定し、そして長手軸方向通路を有する。この長手軸方向通路は、患者の腹腔への入口を提供する。この長手軸方向通路は、外科手術手順を実施する際に利用される外科手術用器具の通過を可能にするように適合される。ハウジングは、開口部を規定する近位端を備え、この開口部は、このアクセス部材の長手軸方向通路と連絡して、この外科手術用器具の通過を可能にする。ゼロ閉鎖弁は、このハウジング内で、この長手軸方向通路に隣接して配置される。このゼロ閉鎖弁は、このゼロ閉鎖弁を通して挿入される外科手術用器具が存在しない場合、実質的に流体密なシールを提供する。逆止弁が、このゼロ閉鎖弁と作動可能に関連し、そしてこの長手軸方向通路と流体連絡し、そして通気ポートが、このアクセス部材と作動可能に関連する。この逆止弁は、このアクセス装置の内側の圧力がこのアクセス装置の外側の圧力より高い場合に、流体密なシールを提供するように構成される。
【０００９】
本開示は、患者の腹腔内へのアクセスを提供するように構成されたアクセス装置に接続されるように適合された、ゼロ閉鎖弁を提供する。逆止弁が、このゼロ閉鎖弁と作動可能に関連し、そしてこのアクセス装置のアクセス部材と関連する長手軸方向通路と流体連絡し、そして通気ポートが、このアクセス部材と作動可能に関連する。この逆止弁は、このアクセス装置の内側の圧力がこのアクセス装置の外側の圧力より高い場合に、流体密なシールを提供するように構成される。
【００１０】
本開示の種々の実施形態が、図面を参照しながら本明細書中に記載される。
【図面の簡単な説明】
【００１１】
【図１】図１は、本開示の１つの実施形態による一体的なゼロ閉鎖弁および逆止弁を備えるアクセス装置の斜視図である。
【図２】図２は、図１に図示されるアクセス装置の近位端の側面断面図である。
【図３】図３は、本開示の代替の実施形態によるアクセス装置の近位端の側面断面図である。
【発明を実施するための形態】
【００１２】
本開示のアクセス装置は、患者の体腔と外側大気との間に、実質的に流体密なシールを提供する。本開示のアクセス装置は、種々の直径の外科手術用器具を受容するように構成される。本開示により想定される種々の手順のうちでもとりわけ、内視鏡手順、腹腔鏡手順、関節鏡手順、整形外科手順などが挙げられる。
【００１３】
本開示のアクセス装置は、特定の手順中の種々の型の器具類の導入を想定する。器具類の例としては、クリップアプライア、把持具、解剖器具、レトラクタ、ステープラー、レーザープローブ、写真デバイス、内視鏡および腹腔鏡、管、アンカー、アンカードライブなどが挙げられるが、これらに限定されない。このような器具は、まとめて、「器具」または「器具類」または「外科手術用物体」と称される。
【００１４】
以下の説明において、慣習的であるように、用語「近位」とは、デバイスの操作者に近い方の部分をいい、一方で、用語「遠位」とは、デバイスの操作者から遠い方の部分をいう。
【００１５】
図１および図２を参照し、最初に図１を参照すると、アクセス装置１０が示されている。アクセス装置１０およびそれに関連する作動構成要素は、任意の適切な材料（例えば、エラストマー材料から作製された生体適合性材料）から形成され得る。アクセス装置１０は、長手方向軸「Ａ」を規定し、そしてハウジング２およびアクセス部材４を備える。ハウジング２の近位端６は、開口部８を備え、そしてアクセス部材４は、長手軸方向通路１４を規定する。開口部８および長手軸方向通路１４は、長手方向軸「Ａ」に対してほぼ整列しており、その手順に関連して利用される外科手術用物体（例えば、器具「Ｉ」（図２））の通過を可能にする。
【００１６】
適切な大きさの通気ポート１８が、１つ以上の適切な結合方法（プレスばめまたは摩擦ばめによる接続、はんだ付け、鑞付け、溶接などが挙げられるが、これらに限定されない）を介して、ハウジング２に作動可能に結合される。図示される実施形態において、通気ポート１８は、ハウジング２とモノリシックに形成される。通気ポート１８は、アクセス装置１０と通気ガスの供給源「Ｇ」との間に流体連絡を提供する、中間インターフェースとして働く。より具体的には、ホース「Ｈ」の遠位端は、加圧気体の供給源「Ｇ」に作動可能に結合され、そしてホース「Ｈ」の近位端は、１つ以上の適切な結合方法（例えば、ルアー型の取付具など）を介して、アクセス装置１０に作動可能に結合される。特定の例において、加圧気体の供給源は、例えば注射器を介して、通気ポート１８に直接結合され得る。通気ポート１８は、適切な大きさの開いた近位端１９および遠位端２１を備える。
【００１７】
アクセス装置１０は、ダックビル弁またはゼロ閉鎖弁２０を備え、この弁は、ハウジング２内で、長手軸方向通路１４に隣接して配置される。より具体的には、ゼロ閉鎖弁２０は、公知の固定方法によって、ハウジング２の内壁２５にしっかりと固定される。１つの特定の実施形態において、ゼロ閉鎖弁２０は、ほぼ円形のフランジ２３（図１）を備え、このフランジは、図２に最もよく見られるように、対応する隆起または棚２９に載る。この棚は、ハウジング２の内壁２５に作動可能に配置される。より具体的には、棚２９は、実質的に、ハウジング２の内壁２５の周囲に沿って延びる。図示される実施形態において、棚２９のギャップまたは裂け目が、ゼロ閉鎖弁２０のフランジ２３に隣接して配置される。組み立てられた構成において、フランジ２３は、ゼロ閉鎖弁２０が実質的に固定された位置に維持されるように、棚２９に載る。ゼロ閉鎖弁２０は、図１に最もよく見られるように、遠位内向きにテーパ状であり、シールした構成になる。従って、ゼロ閉鎖弁２０は、当該分野において通常であるように、このゼロ閉鎖弁を通して挿入された外科手術用器具「Ｉ」が存在しない場合に、実質的に流体密なシールを提供するように構成される。
【００１８】
逆止弁２２部分（逆止弁２２）が、ゼロ閉鎖弁２０と作動可能に関連し、そしてこのアクセス装置の内側の圧力がこのアクセス装置の外側の圧力より高い場合に、流体密なシールを提供するように構成される（図１および図２）。図示される実施形態において、逆止弁２２は、ゼロ閉鎖弁２０と一体的に形成される。より具体的には、逆止弁２２は、ゼロ閉鎖弁２０とモノリシックに形成される。図示される実施形態において、逆止弁２２は、フランジ２３および棚２９に関連するギャップまたは裂け目に隣接して作動可能に配置される。本発明は、ゼロ閉鎖弁２０と関連した（例えば単一の部品として形成された）逆止弁２２を有するように本明細書中で図示および記載されるが、逆止弁２２がゼロ閉鎖弁２０以外の、アクセス装置１０の構成要素に関連する（例えば、単一の部品として形成される）他の実施形態が想定されることが、認識されるべきである。例えば、他の実施形態において、逆止弁２２は、器具シール１６と関連し得る（例えば、単一の部品として形成され得る）。しかし、逆止弁２２をゼロ閉鎖弁２０と関連させる（例えば、単一の部品として形成する）ことは、通気流体が任意のシール／弁に対して遠位である地点で導入され、これによって、このようなシール／弁が開位置にあるか閉位置にあるかにかかわらず、そして器具がこのようなシール／弁内に存在するか否かにかかわらず、このような通気流体の自由な流体を可能にするという利点を有し得る。
【００１９】
逆止弁２２は、ほぼ細長い、または「フラッパ」部分２６（フラッパ２６）を備え、このフラッパは、フラッパ２６が通気ポート１８の開いた近位端１９に隣接してハウジング２の内壁２５に押し付けられる場合に、通気ポート１８の開いた近位端１９を、全体でない場合には実質的に覆うような寸法にされる。組み立てられた構成において、フラッパ２６は、隆起２９に関連するギャップまたは裂け目内に配置される。フラッパ２６をギャップまたは裂け目内に配置することによって、フラッパ２６がハウジング２の内壁２５に押し付けられる場合に流体密なシールを提供することが補助される。フラッパ２６は、アクセス装置１０の外側の圧力がアクセス装置１０の内側の圧力より高い場合に、半径方向内向きに移動する（図１および図２において想像線で示される）ように構成される。この目的で、フラッパ２６は、ゼロ閉鎖弁２０に、１つ以上の適切なヒンジインターフェースおよび／または構成を介して、結合され得る。図１に示される実施形態において、蝶番部分２４は、フラッパ２６をゼロ閉鎖弁２０に結合する。この実施形態において、蝶番部分２４は、ゼロ閉鎖弁２０およびフラッパ２６が作製されるものと同じエラストマー材料から作製される。例えば、ゼロ閉鎖弁２０およびフラッパ２６は、モノリシック／一体的に形成され、その結果、蝶番部分２４は単に、ゼロ閉鎖弁２０とフラッパ２６との間の材料の領域であり、フラッパ２６がゼロ閉鎖弁２０に対して移動する場合に、この領域が蝶番として働く（例えば、この領域は、一体蝶番である）。
【００２０】
あるいは、図２に示されるように、蝶番部分２４またはその一部分は、ゼロ閉鎖弁２０および／またはフラッパ２６が作製される材料とは異なる材料から作製され得る。例えば、特定の実施形態において、蝶番部分２４は、蝶番ピンを組み込み得、そしてゼロ閉鎖弁２０および／またはフラッパ２６が作製されるエラストマー材料よりも硬さが高いかまたは低い材料（例えば、エラストマー材料）から作製され得る（例えば、所定の量の圧力変化「ΔＰ」についてフラッパ部分２６の所望の半径方向への撓みまたは移動を達成するため）。
【００２１】
ある実施形態において、弾性部材が、ゼロ閉鎖弁２０および／または逆止弁２２と作動可能に関連し得る（図３）。例えば、ばね２７が、この逆止弁と作動可能に関連して、このアクセス装置の内側の圧力がこのアクセス装置の外側の圧力より高い場合に、流体密なシールを維持することを補助し得る。ばね２７は、当該分野において公知である任意の適切なばね（板ばね、ねじりばね、コイルばねなどが挙げられるが、これらに限定されない）であり得る。図３に図示される実施形態において、ばね２７は、フラッパ２６およびゼロ閉鎖弁２０の一部分に作動可能に結合された、ねじりばね２７である。
【００２２】
特定の実施形態において、アクセス装置１０は、ハウジング２内で長手軸方向通路１４に隣接して配置され、そしてハウジング２と機械的に協働する、１つ以上の器具シール１６（例えば、図１および図２を参照のこと）を備え得る。器具シール１６は、シール１６を通して導入された器具「Ｉ」の周りに実質的に流体密なシールを作製するように構成される。１つの適切な器具シールは、同一人に譲渡された、Ｒａｃｅｎｅｔに対する米国特許第６，７０２，７８７号に開示されており、その開示の全内容は、本明細書中に参考として援用される。
【００２３】
上記のことから、種々の図面を参照して、当業者は、特定の改変がまた、本開示の範囲から逸脱することなく本開示に対してなされ得ることを理解する。例えば、フラッパ２６は、隆起部分３０（例えば、移動止め３０）を備え得、この隆起部分は、フラッパ２６がハウジング２の内壁に押し付けられる場合に、通気ポート１８の開いた近位端１９を「塞ぐ」ような構成および大きさにされる。さらに、または代替的に、器具ポート１８の近位端１９は、フラッパ２６の隆起部分３０に係合し、これによって、移動止め３０を受容するような構成にされた形状（例えば、傾斜表面）を有し得る。説明の目的で、移動止め３０は、想像線で示される。移動止め３０は、フラッパ２６と開口部１９との間にシールが望ましい場合に、フラッパ２６および開口部１９を互いに流体密なシールされた係合で維持することを補助する。より具体的には、フラッパ２６と通気ポート１８との間の流体密なシールの一体性は、フラッパ２６および移動止め３０の構成に起因して増大し得る。すなわち、移動止め３０は、通気ポート１８の開いた近位端１９を「塞ぐ」。
【００２４】
代替の実施形態において、移動止め３０は、通気ポートの近位端１９またはそれに隣接して配置され得ること、およびこの近位端を係合するための形状（例えば、傾斜表面）が、その代わりに、フラッパ２６に配置され得るこが認識されるべきである。さらに、特定の実施形態において、移動止め３０および／または開口近位端１９に隣接する通気ポート１９の内側は、潤滑性材料（例えば、テトラフルオロエチレン）から作製され得るか、または潤滑性材料でコーティングされ得る。この潤滑性材料は、移動止め３０と、開口近位端１９に隣接する通気ポート１８の内側との間の静止摩擦定数を低下させるように設計される。
【００２５】
本開示の数個の実施形態が図面に示され、そして／または本明細書中で議論されたが、本開示は、これらの実施形態に限定されることを意図されない。なぜなら、本開示は、当該分野が許容すると同程度に範囲が広いこと、および本明細書も同様に読まれることが意図されるからである。従って、上記説明は、限定であると解釈されるべきではなく、単に、特定の実施形態の説明であると解釈されるべきである。当業者は、添付の特許請求の範囲の趣旨および範囲内で、他の改変を予測する。
【符号の説明】
【００２６】
２  ハウジング
４  アクセス部材
８  開口部
１０  アクセス装置
１４  長手軸方向通路
１８  通気ポート
２０  ダックビル弁またはゼロ閉鎖弁
Ａ  長手方向軸
Ｇ  供給源
Ｈ  ホース
Ｉ  器具
【図１】
2011167519.tif 000003
【図２】
2011167519.tif 000004
【図３】
2011167519.tif 000005